(57)【要約】【課題】ワイヤレス映像表示装置においてリモコンの応答時間を短縮すること。【解決手段】モニタ部１０１、ステーション部１０２及びリモコン１０３で構成されるワイヤレス映像表示装置において、モニタ部１０１のリモコン信号受信部２０１だけでなくステーション部１０２にもリモコン信号受信部２０７を備えることにより、リモコン１０３がワイヤレス映像表示装置に送信するリモコン信号をステーション部１０２が直接受信できるので応答時間が早くなる。【選択図】図２
2006324947.tif 000002
【特許請求の範囲】
【請求項１】
リモコン信号を受信しリモコンコード信号を出力する第１のリモコン受信手段と、前記第１のリモコン受信手段が出力したリモコンコード信号を無線信号に変調して送信する無線送信手段とを備える映像表示機器と、前記無線信号を受信しリモコンコード信号を出力する無線受信手段と、リモコン信号を受信しリモコンコード信号を出力する第２のリモコン受信手段と、前記無線信号から出力したリモコンコード信号と前記第２のリモコン受信手段から出力したリモコンコード信号を入力し、一方を選択して出力するリモコンコード信号選択手段を備える映像送信機器とからなるワイヤレス映像表示装置。
【請求項２】
前記リモコンコード信号選択手段は、リモコンコード信号が前記第２のリモコン受信手段から入力されているときは第２のリモコン受信手段から入力されるリモコンコード信号を出力し、前記第２のリモコン受信手段からの入力が終了してから所定の時間は前記無線受信手段から入力されるリモコンコード信号を破棄し、上記以外のタイミングでは前記無線受信手段からの入力を出力することを特徴とする請求項１に記載のワイヤレス映像表示装置。
【請求項３】
前記リモコンコード信号選択手段は、所定の時間を記憶する記憶手段と、前記受信手段から入力されるリモコンコード信号を前記リモコンコード信号選択手段の出力とするか否かを切り換える第１の切換手段とを備え、前記第２のリモコン受信手段よりリモコンコード信号が入力されたときは前記第２のリモコン受信手段より入力されたリモコンコード信号を前記リモコンコード信号選択手段の出力とするとともに前記第１の切換手段をオフにし、前記第２のリモコン受信手段からのリモコン信号の入力が終了した後前記所定の時間は前記第１の切換手段をオフ状態に維持し、前記所定の時間が経過した後は前記第１の切換手段をオンにし前記無線受信手段から入力されるリモコンコード信号を前記リモコンコード信号選択手段の出力とできることを特徴とする請求項１に記載のワイヤレス映像表示装置。
【請求項４】
前記無線受信手段及び前記第２のリモコン受信手段からリモコンコード信号選択手段へのリモコンコード信号の伝播時間差を計測し、前記伝播時間差を前記所定の時間とすることを特徴とする請求項２または３に記載のワイヤレス映像表示装置。
【請求項５】
前記リモコンコード信号選択手段は、前記無線受信手段から入力されるリモコンコード信号の信号数及び前記第２のリモコン受信手段で受信した信号数をそれぞれ積算して、入力をリモコンコード信号を前記リモコンコード信号選択手段の出力とすることを特徴とする請求項１記載のワイヤレス映像表示装置。
【請求項６】
前記リモコンコード信号選択手段は、前記無線受信手段から出力されたリモコンコード信号の信号数及び前記第２のリモコン受信手段から出力された信号数をそれぞれ積算する積算手段と、前記無線受信手段より入力されるリモコンコード信号を前記リモコンコード信号選択手段の出力とするか否かを切り換える第１の切換手段と、前記第２のリモコン受信手段により入力されるリモコンコード信号を前記リモコンコード信号選択手段の出力とするか否かを切り換える第２の切換手段とを備え、前記積算手段による積算数が前記無線受信手段より入力されるリモコンコード信号の方が多い場合は前記第１の切換手段をオンにし前記第２の切換手段をオフにし、前記積算手段による積算数が前記第２のリモコン受信手段より入力されるリモコンコード信号の方が多い場合は前記第１の切換手段をオンにし前記第２の切換手段をオフにすることを特徴とする請求項１記載のワイヤレス映像表示装置。
【請求項７】
前記積算数は、所定の周期ごとに所定の時間に入力される前記無線受信手段から出力されたリモコンコード信号の信号数及び前記第２のリモコン受信手段でから出力されたリモコンコード信号の信号数の積算数であることを特徴とする請求項５または６に記載のワイヤレス映像表示装置。
【請求項８】
前記積算数は、所定の時間前から直前までの前記無線受信手段からのリモコンコード信号の信号数及び前記第２のリモコン受信手段からのリモコンコード信号の信号数の積算数であることを特徴とする請求項５または６に記載のワイヤレス映像表示装置。
【請求項９】
前記積算数を初期化するリセット手段を持つことを特徴とする特徴とする請求項５乃至８に記載のワイヤレス映像表示装置。
【発明の詳細な説明】
【技術分野】
【０００１】
本発明は受信したテレビジョン放送などの映像信号を無線で送信するステーション部、ステーション部から無線で送信されたテレビジョン映像を受信・表示するモニタ部、及びリモコンで構成されるワイヤレス映像表示装置に関するものである。
【背景技術】
【０００２】
近年、無線ＬＡＮ技術や映像圧縮・伸長技術の発達により、ステーション部が受信した放送波の映像データを無線で送信し、ステーション部から無線で送信された映像を離れた場所においてモニタ部で受信して視聴するワイヤレス映像表示装置が開発されている。ワイヤレス映像表示装置を視聴する際は、ステーション部はテレビジョン放送のアンテナ線や、ＶＴＲ等のＡＶ機器の付近に設置され、モニタ部は視聴者の所望の場所に設置される。視聴者は一般的にはワイヤレス映像表示装置の電源ＯＮ／ＯＦＦやチャンネル切り替えはリモコンを用いてモニタ部に向けて操作を行う（例えば特許文献１参照）。
【０００３】
図９は前記特許文献１に記載された従来のワイヤレス映像表示装置の構成図を示すものである。この発明に係るワイヤレス映像表示装置は、テレビジョン放送の受信手段を備えるとともに、外部映像機器との接続手段を備えた映像出力機器と、外部から与えられる映像信号を表示する映像表示機器とを、無線通信可能に接続するものであって、映像表示機器は、映像出力機器から送信される映像信号を受信して映像表示する手段を有するとともに、受信手段の制御に対応する第１のリモコンからの操作情報と、外部映像機器の制御に対応する第２のリモコンからの操作情報とを選択的に受信して映像出力機器に送信する手段を有し、映像出力機器は、映像表示機器から送信された操作情報を受信し、第１のリモコンからの操作情報であればその操作情報に基づいて受信手段を制御し、第２のリモコンからの操作情報であればその操作情報を外部映像機器に送信する手段を有するとともに、受信手段で得られた映像信号及び外部映像機器から得られた映像信号を、選択的に映像表示機器に送信する手段を有するようにしたものである。
【特許文献１】特開２００４−１４０５９９号公報
【発明の開示】
【発明が解決しようとする課題】
【０００４】
しかしながら前記従来の構成では、リモコン信号は一旦映像表示機器に到達し、無線を介して映像出力機器に転送される。そのため、視聴者がリモコン操作を行ってから、ワイヤレス映像表示装置が応答するまでに遅延が生じるという課題を有していた。
【０００５】
本発明は前記従来の課題を解決するもので、視聴者のリモコン操作に対する映像出力機器の応答の遅延を短縮することを可能とするワイヤレス映像表示装置を提供することにある。
【課題を解決するための手段】
【０００６】
前記従来の課題を解決する為に、本発明のワイヤレス映像表示装置はモニタ部とステーション部の両方にリモコン受信部を備えており、またステーション部は、モニタ部で受信したリモコン信号とステーション部で受信したリモコン信号を選択するリモコンコード信号選択部を備えている。本構成ではステーション部が直接リモコン信号を受信することができるので、リモコン信号をモニタ部で受信してステーション部へ送信する手法と比較してリモコン信号の遅延を減らすことができる。
【発明の効果】
【０００７】
以上のように、本発明のワイヤレス映像表示装置によれば、視聴者が操作するリモコンから発せられるリモコン信号が届く位置にステーション部が設置されている場合においては、ステーション部がリモコン信号を直接受信することで、無線区間を介してリモコン信号をステーション部に転送する場合に比較して、視聴者のリモコン操作に対するワイヤレス映像表示装置の応答時間を短くすることが可能となる。
【発明を実施するための最良の形態】
【０００８】
以下本発明の実施の形態について、図面を参照しながら説明する。
【０００９】
（実施の形態１）
図１は、本発明の実施の形態１におけるワイヤレス映像表示装置の概略図である。図１において、視聴者はリモコン１０３を用いてワイヤレス映像表示装置を操作する。ステーション部１０２は、接続されているテレビジョン放送用のアンテナ１０４で受信された映像信号から視聴者がリモコンで選択したチャンネルに関連する映像信号を抽出し、抽出された映像信号を映像圧縮してからモニタ部１０１に無線で伝送する。モニタ部１０１はステーション部１０２から無線信号を受信し、その受信信号をデコードしディスプレイに表示する。
【００１０】
また、図２は本発明におけるワイヤレス映像表示装置の構成図である。また、図３は図２に記載のリモコンコード信号選択部２０８として本実施の形態に用いたリモコンコード信号選択部２０８ａの詳細図である。図２において、モニタ部１０１はリモコン信号受信部２０１、無線送信部２０２、無線受信部２０３、映像伸長部２０４及び映像表示部２０５で構成される。また、ステーション部１０２は、無線受信部２０６、リモコン信号受信部２０７、リモコンコード信号選択部２０８ａ、選局部２０９、チューナ部２１０、映像圧縮部２１１、無線送信部２１２及びアンテナ１０４で構成される。
【００１１】
まず、モニタ部１０１の構成について説明する。
【００１２】
リモコン信号受信部２０１は、リモコン１０３から送信されるリモコン信号を受信し、増幅・波形成形をしてリモコンコード信号に変換し、得られたリモコンコード信号を無線送信部２０２へ出力する。
【００１３】
無線送信部２０２は、リモコン信号受信部２０１からリモコンコード信号を入力し、リモコンコード信号を無線信号に変調して無線送信する。
【００１４】
無線受信部２０３は、ステーション部１０２から送信された無線信号を受信して圧縮された映像信号に復調し、圧縮された映像信号を映像伸長部２０４に出力する。
【００１５】
映像伸長部２０４は、無線受信部２０３からの圧縮された映像信号が入力され、映像信号に変換して映像表示部２０５へ出力する。
【００１６】
映像表示部２０５は、映像伸長部２０４から入力された映像信号を映像として表示部に表示する。
【００１７】
次に、ステーション部１０２の構成について説明する。
【００１８】
無線受信部２０６は、無線送信部２０２からの無線信号を受信してリモコンコード信号に復調し、リモコンコード信号をリモコンコード信号選択部２０８ａへ出力する。
【００１９】
リモコン信号受信部２０７は、リモコン１０３から送信されるリモコン信号を受信し、増幅・波形成形をしてリモコンコード信号に変換し、得られたリモコンコード信号をリモコンコード信号選択部２０８ａへ出力する。
【００２０】
リモコンコード信号選択部２０８は、無線受信部２０６から入力されるリモコンコード信号とリモコン信号受信部２０７から入力されるリモコンコード信号のうち一方を選択し、選局部２０９へ出力する。このリモコンコード信号選択部２０８の構成の詳細については後述する。
【００２１】
選局部２０９はリモコンコード信号選択部２０８から入力されるリモコンコード信号に基づいて、チューナ部２１０に選局コマンドを出力する。
【００２２】
チューナ部２１０は、選局部２０９から入力された選局コマンドに基づいて、アンテナ１０４で受信したテレビジョン放送の映像信号の中から、視聴者が選択した番組に関連する映像信号を一つ抽出し、その抽出した映像信号を映像圧縮部２１１に出力する。
【００２３】
映像圧縮部２１１は、チューナ部２１０から入力される映像信号を圧縮し、圧縮された映像信号を無線送信部２１２に出力する。
【００２４】
無線送信部２１２は、映像圧縮部２１１から入力される圧縮された映像信号を無線信号に変調し、モニタ部１０１の無線受信部２０３へ送信する。
【００２５】
次にリモコンコード信号選択部２０８ａの詳細図である図３について説明する。
【００２６】
図３において、メモリ３０１ａはあらかじめ所定の時間を記憶しており、スイッチ制御部３０２ａにその所定の時間の情報を通知する時間情報信号を出力する。
【００２７】
スイッチ制御部３０２ａは、リモコン信号受信部２０７から入力されるリモコンコード信号とメモリ３０１ａから入力される時間情報信号をもとに、リモコン信号受信部２０７からリモコンコード信号が入力されているとき、及び、リモコン信号受信部２０７からのリモコンコード信号の入力が終了してからメモリ３０１ａに記憶されている所定の時間が経過するまでは、スイッチ３０３ａにスイッチ３０３ａをオフに制御する制御信号を出力する。上記以外のタイミングではスイッチ３０３ａをオンに制御する制御信号を出力する。
【００２８】
スイッチ３０３ａはスイッチ制御部３０２ａから入力される制御信号に基づいて無線受信部２０６からリモコンコード信号選択部２０８ａに入力されるリモコンコード信号を選局部２０９に入力するか否かを切り換えるスイッチである。
【００２９】
次に本発明の実施の形態１におけるワイヤレス映像表示装置の動作について説明する。
【００３０】
ユーザーがリモコン１０３を操作するとリモコン１０３からリモコン信号が送信される。本実施の形態のワイヤレス映像表示装置がリモコン信号を受信するとき、各々の位置関係や機器間の障害物などにより、モニタ部１０１のみが受信する場合、ステーション部１０２のみが受信する場合、及びモニタ部１０１とステーション部１０２の双方が受信する場合の３通りの組み合わせが存在する。
【００３１】
まず、モニタ部１０１のみが受信する場合の動作について説明する。
【００３２】
初期状態において、ステーション部１０２のリモコンコード信号選択部２０８ａのスイッチ３０３ａはオンになっている。モニタ部１０１のリモコン受信部２０１はリモコン１０３からリモコン信号を受信する。リモコン信号受信部２０１はリモコン信号を受信し、リモコンコード信号を無線送信部２０２に出力する。無線送信部２０２はリモコンコード信号を無線信号に変調し、ステーション部１０２の無線受信部２０６に送信する。無線受信部２０６は無線信号を受信してリモコンコード信号に復調し、リモコンコード信号をリモコンコード信号選択部２０８ａに出力する。一方、ステーション部１０２のリモコン信号受信部２０７はリモコン１０３から発せられたリモコン信号を受信していないため、リモコン信号受信部２０７からリモコンコード信号選択部２０８ａへはリモコンコード信号は入力されていない。このためスイッチ制御部３０２ａへもリモコンコード信号は入力されておらず、スイッチ制御部３０２ａはスイッチ３０３ａをオンにする制御信号を出力しておりスイッチ３０３ａはオン状態である。そこで、無線受信部２０６からリモコンコード信号選択部２０８ａに入力されたリモコンコード信号が選局部２０９に入力される。選局部２０９にリモコンコード信号が入力されると、選局部２０９はリモコンコード信号で指定したチャンネルをチューナ部２１０が受信するための選局コマンドを出力する。チューナ部２１０は選局コマンドを受信すると、チューニングを行い当該チャンネルの映像信号を映像圧縮部２１１に送信する。映像圧縮部２１１は映像信号を圧縮された映像信号にエンコードして、無線送信部２１２に出力する。無線送信部２１２では圧縮された映像信号を無線信号に変調し、モニタ部１０１の無線受信部２０３に送信する。無線受信部２０３は無線信号を復調して圧縮された映像信号を映像伸長部２０４に出力する。映像伸長部２０４は圧縮された映像信号を映像信号に変換し、映像表示部２０５に出力する。映像表示部２０５は映像信号を映像として映像表示部２０５に表示する。
【００３３】
その後、リモコン１０３からのリモコン信号の入力が終わり、モニタ部１０１のリモコン信号受信部２０１がリモコン信号の受信を終了しても、スイッチ制御部３０２ａにリモコンコード信号が入力されない状態は変化せず、スイッチ３０３ａはオンの状態を維持する。
【００３４】
次に、ステーション部１０２のみがリモコン信号を受信する場合の動作について説明する。
【００３５】
初期状態において、ステーション部１０２のリモコンコード信号選択部２０８ａのスイッチ３０３ａはオンになっている。まず、ステーション部１０２のリモコン信号受信部２０７はリモコン１０３からリモコン信号を受信する。リモコン信号受信部２０７はリモコン信号を受信し、リモコンコード信号をリモコンコード信号選択部２０８ａに出力する。リモコン信号受信部２０８ａでは入力されたリモコンコード信号をスイッチ制御部３０２ａへ入力するとともに、選局部２０９へ出力する。リモコンコード信号を入力されたスイッチ制御部３０２ａはスイッチ３０３ａをオフに制御する制御信号をスイッチ３０３ａに入力する。スイッチ３０３ａはスイッチ制御部３０２ａから入力される制御信号に基づき、スイッチ３０３ａをオフにする。選局部２０９にリモコンコード信号が入力されてからモニタ部１０１の映像表示部２０５に映像が表示されるまでのステップは上記の説明と同様であるので説明を省略する。
【００３６】
その後、リモコン１０３からのリモコン信号の入力が終わり、リモコン信号受信部２０７のリモコン信号を受信が終了すると、スイッチ制御手段３０２ａへのリモコンコード信号が入力も終了する。スイッチ制御手段３０２ａにメモリ３０１ａに記憶されている所定の時間が経過しても、リモコンコード信号が入力されない場合は、スイッチ３０３ａにスイッチ３０３ａをオンにする制御信号を入力し、スイッチ３０３ａはオン状態となる。その結果、リモコンコード信号選択部２０８ａは初期状態となる。
【００３７】
次に、モニタ部１０１とステーション部１０２の双方が受信する場合について説明する。
【００３８】
ステーション部１０２のリモコン信号受信部２０７で受信したリモコン信号はリモコンコード信号に変換され、リモコンコード信号選択部２０８ａへ入力される。また、モニタ部１０１のリモコン信号受信部２０１で受信したリモコン信号はリモコンコード信号に変換され無線送信部２０２、無線受信部２０６を経由しリモコンコード信号選択部２０８ａに入力される。
【００３９】
このときのリモコンコード信号選択部２０８ａの動作について説明する。リモコンコード信号選択部２０８ａには無線受信部２０６及びリモコン信号受信部２０７からリモコンコード信号が入力される。リモコン信号がリモコン１０３からモニタ部１０１を経由しステーション部１０２に到達する場合、無線送信部２０２及び無線受信部２０６などの回路による遅延によりリモコンコード信号が遅延する。したがって、リモコン１０３から発せられたリモコン信号をリモコンコード信号としてモニタ部１０１のリモコン信号受信部２０１及びステーション部１０２のリモコン信号受信部２０７の双方で受信するときには、ステーション部１０２のリモコン信号受信部２０７で受信したリモコンコード信号が先にリモコンコード信号選択部２０８ａに入力される。
【００４０】
まず、リモコンコード信号選択部２０８ａにリモコン信号受信部２０７からリモコンコード信号が入力されると、リモコンコード信号は選局部２０９へ出力されるとともに、スイッチ制御部３０２ａへ入力される。スイッチ制御部３０２ａはメモリ３０１ａの所定の時間情報とリモコンコード信号に基づいて、スイッチ３０３ａをオフにする。その後、無線受信部２０６からリモコンコード信号選択部２０８ａへリモコンコード信号が入力されるが、スイッチ３０３ａがオフになっているため、無線受信部２０６からリモコンコード信号選択部２０８ａへリモコンコード信号は破棄される。
【００４１】
リモコン１０３からのリモコン信号の入力が終わり、リモコン信号受信部２０７がリモコン信号を受信しなくなると、リモコン信号受信部２０７からリモコンコード信号選択部２０８ａへのリモコンコード信号の入力も無くなる。
【００４２】
一方、リモコン信号受信部２０７からリモコンコード信号選択部２０８ａへのリモコンコード信号の入力が無くなっても伝播時間差により無線送信部２０６からリモコンコード信号選択部２０８ａへのリモコンコード信号の入力は残っている。しかし、メモリ３０１ａに記憶されている所定の時間はスイッチ３０３ａをオフにしているので、必要以上の信号が選局部２０９に入力されることを防止することができる。
【００４３】
かかる構成によれば、視聴者が操作するリモコン１０３から発せられるリモコン信号が届く位置にステーション部１０２が設置されている場合においては、ステーション部１０２がリモコン信号を優先的に受信しているので、視聴者のリモコン操作に対するワイヤレス映像表示装置の応答時間を短くできる。
【００４４】
なお、本実施の形態ではメモリ３０１ａ、スイッチ制御部３０２ａ及びスイッチ３０３ａを別個の独立した手段として記載しているが必ずしも分離しなければならないものではなく、これらの機能を結合し１チップのリモコンコード信号選択部とすることも可能である。
【００４５】
また、本実施の形態では所定の時間はあらかじめ設定されていたが、モニタ部１０１、ステーション部１０２またはリモコン１０３にユーザーＩ／Ｆを備えて所定の時間を可変にすることもできる。
【００４６】
（実施の形態２）
本実施の形態は図２に記載のワイヤレス映像表示装置において、リモコンコード信号選択部２０８の構成を図４に記載のリモコンコード信号選択部２０８ｂの構成としたものである。この構成により所定の時間を自動で最適に設定できる。
【００４７】
まず、図４に記載されているリモコンコード信号選択部２０８ｂの構成について説明する。図４において図３と同じ構成要素については説明を省略する。
【００４８】
図４において、リモコンコード信号選択部２０８ｂはメモリ３０１ｂ、スイッチ制御部３０２ｂ、スイッチ３０３ｂ及び計時部４０５で構成される。
【００４９】
計時部４０５は、リモコン１０３から計時リモコン信号が送信されたとき、無線送信部２０６からリモコンコード信号選択部に入力される計時リモコンコード信号とリモコン信号受信部２０７からリモコンコード信号選択部に入力される計時リモコンコード信号との時間差を測定し、その測定データをメモリ３０１ｂに記憶する。
【００５０】
次に本実施の形態で計時部４０５を用いてメモリ３０１ｂを更新する動作について説明する。
【００５１】
リモコン１０３は計時リモコン信号を送信する。ステーション部１０２のリモコン信号受信部２０７はリモコン１０３から計時リモコン信号を受信する。リモコン信号受信部２０７は計時リモコン信号を受信し、計時リモコンコード信号をリモコンコード信号選択部２０８ｂに出力する。リモコンコード信号選択部２０８ｂに計時リモコンコード信号が入力されると計時部４０５に入力される。計時部４０５は計時リモコンコード信号が入力されると計時を開始する。
【００５２】
一方、モニタ部１０１のリモコン信号受信部２０１は計時リモコン信号を受信し、計時リモコンコード信号が無線送信機２０２により無線信号に変調されて、ステーション部１０２の無線受信部２０６に入力される。無線受信部２０６は計時リモコンコード信号をリモコンコード信号選択部２０８ｂに出力する。リモコンコード信号選択部２０８ｂに計時リモコンコード信号が入力されると計時部４０５に入力される。計時部４０５は無線受信部２０６より計時リモコンコード信号が入力されると、計時を終了する。計時部４０５は上記のようにして伝播時間差を測定し、その伝播時間差データをメモリ３０１ｂに出力する。メモリ３０１ｂは伝播時間差を所定の時間として記憶する。
【００５３】
なお、通常のリモコン信号の動作は実施の形態１と同様であるので説明を省略する。
【００５４】
かかる構成によれば計時部４０５が所定の時間として伝播路の時間差を自動的に測定するため、ユーザーが手動でメモリ３０１ｂを書き換える事無く最適な所定の時間に設定することができる。
【００５５】
なお、本実施の形態では計時リモコン信号を用いたが、その他の通常のリモコン信号を用いて伝播時間差を求め所定の時間としてメモリ３０１ｂに記憶することも可能である。この場合は伝播時間差をリモコン信号が入力されるごとに計算し所定の時間としてメモリ３０１ｂを記憶しても良いし、リモコン信号ごとに伝播時間差を計測したのちに、複数の伝播時間差の平均値を所定の時間としてメモリ３０１ｂに記憶しても良い。このような構成にすると、ユーザーが特別な操作を行なうことなく、リモコンを通常通りに使用するだけで受信環境の変化に対応させることができる。
【００５６】
（実施の形態３）
本実施の形態は図２に記載のワイヤレス映像表示装置において、リモコンコード信号選択部２０８の構成を図５に記載のリモコンコード信号選択部２０８ｃの構成としたものである。
【００５７】
図５において、リモコンコード信号選択部２０８ｃはスイッチ制御部３０２ｃ、スイッチ５０３ｃ、スイッチ５０４ｃ及び積算部５０６ｃで構成される。
【００５８】
まず、リモコンコード選択部２０８ｃの構成について説明する。
【００５９】
スイッチ制御部３０２ｃは積算部５０６ｃから信号数情報が入力される。そして無線受信部２０６から入力されるリモコンコード信号の信号数が多い場合はスイッチ５０３ｃをオンにし、スイッチ５０４ｃをオフにする制御信号をスイッチ５０３ｃ及びスイッチ５０４ｃに入力する。逆にリモコン信号受信部２０７から入力されるリモコンコード信号の信号数が多い場合はスイッチ５０３ｃをオフにし、スイッチ５０４ｃをオンにする制御信号をスイッチ５０３ｃ及びスイッチ５０４ｃに入力する。
【００６０】
スイッチ５０３ｃはスイッチ制御部３０２ｃから得られる制御信号をもとにリモコン受信部２０６からリモコンコード信号選択部２０８ｃに入力されたリモコンコード信号を選局部２０９に出力するか否かを切り換える。
【００６１】
スイッチ５０４ｃはスイッチ制御部３０２ｃから得られる制御信号をもとにリモコンコード信号選択部２０７からリモコンコード信号選択部２０８ｃに入力されたリモコンコード信号を選局部２０９に出力するか否かを切り換える。
【００６２】
積算部５０６ｃは所定の時刻の間に無線受信部２０６から入力されるリモコンコード信号の信号数とリモコン信号受信部２０７から入力されるリモコンコード信号の信号数とを積算する。
【００６３】
次にスイッチ制御部３０２ｃ、スイッチ５０３ｃ、スイッチ５０４ｃ及び積算部５０６ｃの動作について説明する。初期状態ではスイッチ５０３ｃがオフであり、スイッチ５０４ｃがオンである。ワイヤレス映像表示装置の電源をオンにすると、スイッチ制御部３０２ｃは所定の周期Ｔ１＋Ｔ２ごとにスイッチ５０３ｃ及びスイッチ５０４ｃの状態を更新する。ここでは、前述した所定の周期Ｔ１＋Ｔ２の１周期間におけるスイッチ５０３ｃ及びスイッチ５０４ｃの動作について図６を用いて説明する。
【００６４】
まず、リモコン信号受信部２０７からの受信が多い場合のスイッチ制御について説明する。スイッチ制御が開始する（Ｓ１）と、積算部５０６ｃには無線受信部２０６またはリモコン信号受信部２０７からリモコンコード信号が入力され、積算部５０６ｃは無線受信部２０６から入力されるリモコンコード信号の信号数及びリモコン信号受信部２０７から入力されるリモコンコード信号の信号数を積算し始める。積算をしているときはスイッチ５０３ｃとスイッチ５０４ｃは積算をする直前の状態を維持している（Ｓ２）。積算が開始してから所定の時間Ｔ１が経過すると、その所定の時間Ｔ１の間にリモコンコード信号選択部２０８ｃが無線受信部２０６またはリモコン信号受信部２０７からリモコンコード信号を受信していたか否かを判断する（Ｓ３）。無線受信部２０６またはリモコン信号受信部２０７からリモコンコード信号を受信していた場合、無線受信部２０６で受信したリモコンコード信号の積算数とリモコン信号受信部２０７で受信したリモコンコード信号の積算数とを比較し（Ｓ４）、リモコン信号受信部２０７で受信したリモコンコード信号の積算数の方が多い場合又は同数の場合はスイッチ５０３ｃをオフにし、スイッチ５０４ｃをオンにする（Ｓ６）。その後、所定の時間Ｔ２の間はスイッチ５０３ｃ及びスイッチ５０４ｃの状態を固定し（Ｓ８）、終了する（Ｓ９）。
【００６５】
次に、無線受信部２０６からの受信が多い場合のスイッチ制御について説明する。スイッチ制御が開始する（Ｓ１）と、積算部５０６ｃには無線受信部２０６またはリモコン信号受信部２０７からリモコンコード信号が入力され、積算部５０６ｃは無線受信部２０６から入力されるリモコンコード信号の信号数及びリモコン信号受信部２０７から入力されるリモコンコード信号の信号数を積算し始める。積算をしているときはスイッチ５０３ｃとスイッチ５０４ｃは積算をする直前の状態を維持している（Ｓ２）。積算が開始してから所定の時間Ｔ１が経過すると、その所定の時間Ｔ１の間にリモコンコード信号選択部２０８ｃが無線受信部２０６またはリモコン信号受信部２０７からリモコンコード信号を受信していたか否かを判断する（Ｓ３）。無線受信部２０６またはリモコン信号受信部２０７からリモコンコード信号を受信していた場合、無線受信部２０６で受信したリモコンコード信号の積算数とリモコン信号受信部２０７で受信したリモコンコード信号の積算数とを比較し（Ｓ４）、無線受信部２０６で受信したリモコンコード信号の積算数の方が多い場合はスイッチ５０３ｃをオンにし、スイッチ５０４ｃをオフにする（Ｓ７）。その後、所定の時間Ｔ２の間はスイッチ５０３ｃ及びスイッチ５０４ｃの状態を固定し（Ｓ８）、終了する（Ｓ９）。
【００６６】
最後に無線受信部２０６及びリモコン信号受信部２０７にリモコンコード信号がまったく入力されなかった場合の動作を説明する。スイッチ制御が開始する（Ｓ１）と、積算部５０６ｃは無線受信部２０６から入力されるリモコンコード信号の信号数及びリモコン信号受信部２０７から入力されるリモコンコード信号の信号数を積算し始める。積算をしているときはスイッチ５０３ｃとスイッチ５０４ｃは積算をする直前の状態を維持している（Ｓ２）。積算が開始してから所定の時間Ｔ１が経過すると、その所定の時間Ｔ１の間にリモコンコード信号選択部２０８ｃが無線受信部２０６またはリモコン信号受信部２０７からリモコンコード信号を受信していたか否かを判断する（Ｓ３）。リモコンコード信号選択部２０８ｃが無線受信部２０６及びリモコン信号受信部２０７からリモコンコード信号を受信していなかった場合はスイッチの状態を維持する（Ｓ５）。その後所定の時間Ｔ２の間スイッチの状態を固定し（Ｓ８）、終了する（Ｓ９）。
【００６７】
本実施の形態におけるワイヤレス映像表示装置は上記のフローを繰り返すことによりスイッチ５０３ｃ及びスイッチ５０４ｃの制御をしている。
【００６８】
上記のようにスイッチ制御部３０２ｃ及び積算部５０６ｃが動作すると図７（ａ）に示すように、一定周期ごとにスイッチ５０３ｃ及びスイッチ５０４ｃを切り換えることができる。
【００６９】
かかる構成によると、モニタ部１０１のリモコン信号受信部２０１とステーション部１０２のリモコン信号受信部２０７のうち受信状態の良い方を自動的に選択することができる。さらに、所定の周期で積算数を更新することによって時間の経過による受信環境の変化に対応することができる。
【００７０】
なお、本実施の形態におけるワイヤレス映像表示装置において、同様の構成を持ち動作が異なるものとしても良い。例えば、図７（ｂ）に示すように常に計測をしておくことも可能である。
【００７１】
また、常に直前の所定の時間の積算数を常に計算し、その積算数に基づいてスイッチの制御部３０２ｃの制御をすることも可能である。この場合、スイッチの制御部３０２ｃは直前の所定の時間のみに依存するので時間の経過による受信環境の変化に最も早く対応することができる。
【００７２】
また、初期状態として、スイッチ５０３ｃをオフにし、スイッチ５０４ｃをオンにしたがそれに限るものではなく、スイッチ５０３ｃをオンにし、スイッチ５０４ｃをオフにしても良い。
【００７３】
（実施の形態４）
本実施の形態は図２に記載のワイヤレス映像表示装置において、リモコンコード信号選択部２０８の構成を図８に記載のリモコンコード信号選択部２０８ｄの構成としたものである。
【００７４】
まず、本実施の形態の構成について説明する。
【００７５】
図８において、リモコンコード信号選択部２０８ｄはスイッチ制御部６０２ｄ、スイッチ５０３ｄ、スイッチ５０４ｄ、積算部５０６ｄ及びリセット部８０７で構成される。図８において図５と同じ構成要素については説明を省略する。
【００７６】
リセット部８０７は積算部で記憶されている無線受信部２０６からのリモコンコード信号及びリモコン信号受信部２０７からのリモコンコード信号の積算数を初期化する。
【００７７】
次に本実施の形態のリモコンコード信号選択部２０８ｄの動作について説明する。
【００７８】
無線受信部２０６またはリモコン信号受信部２０７からリモコンコード信号選択部２０８ｄへリモコンコード信号が入力されると、積算部５０６ｄに入力される。積算部５０６ｄは無線受信部２０６からのリモコンコード信号の信号数とリモコン信号受信部２０７からのリモコンコード信号の信号数を記憶する。そして双方から入力された信号数を比較する。無線受信部２０６からのリモコンコード信号の信号数が多ければスイッチ５０３ｄをオンにし、スイッチ５０４ｄをオフにするように制御信号をスイッチ制御手段６０２ｄに出力する。スイッチ制御手段６０２ｄは前記制御信号に従い、スイッチ５０３ｄをオン、スイッチ５０４ｄをオフに切り換える。
【００７９】
一方、リモコン信号受信部からのリモコンコード信号の信号数が多ければスイッチ５０３ｄをオフにし、スイッチ５０４ｄをオンにするように制御信号をスイッチ制御手段６０２ｄに出力する。スイッチ制御手段６０２ｄは前記制御信号に従い、スイッチ５０３ｄをオフ、スイッチ５０４ｄをオンに切り換える。
【００８０】
また、本実施の形態で積算部５０６ｄを初期化するリセット部８０７を備えている。このリセット部８０７より、積算部５０６ｄを初期化することを選択すると、リセット部８０７から積算部５０６ｄにリセット信号が入力される。積算部５０６ｄにリセット信号が入力される積算部５０６ｄは初期化される。
【００８１】
かかる構成によるとユーザーは任意の時に積算数を初期化できる。一般にモニタを移動させたときなどは受信環境が大きく変化することがあるが、本構成ではメモリに記憶されている積算数をリセットできるので、受信環境にすぐに対応させることができる。
【００８２】
なお、本実施の形態ではリセット部８０７をリモコンコード信号選択部２０８ｄに備え付けたが、リモコン１０３など他の部分に備えることも可能である。
【００８３】
また、本実施の形態ではリセット部８０７で積算部５０６ｄをリセットしたが、ワイヤレス映像表示装置の電源をオフにすると、電源が落ちる前にリセット部８０７に制御信号を送信され、積算部５０６ｄが初期化される構造とすることも可能である。この構造によると新たに電源をつけたときには初期化されており、常に新しい積算結果を反映させることができる。
【００８４】
また、上記手法の電源に代えてＡＣプラグをコンセントから引き抜いたことを検知して、リセット部８０７が積算部５０６ｄをリセットすることも可能である。ワイヤレス映像表示装置を移動させるときにはＡＣプラグを引き抜くことが多いため、この構造によると移動時にユーザーが意識的にリセットをすることなく積算部５０６ｄを自動的に初期化できる。
【産業上の利用可能性】
【００８５】
本発明のワイヤレス映像表示装置は、複数の機器で構成され機器間が無線で接続される装置に対して、リモコンを用いて操作を行う装置に適用できる。
【図面の簡単な説明】
【００８６】
【図１】本発明におけるワイヤレス映像表示装置の概略図
【図２】本発明におけるワイヤレス映像表示装置の構成図
【図３】本発明の実施の形態１におけるリモコンコード信号選択部の詳細図
【図４】本発明の実施の形態２におけるリモコンコード信号選択部の詳細図
【図５】本発明の実施の形態３におけるリモコンコード信号選択部の詳細図
【図６】本発明の実施の形態３におけるリモコンコード信号選択部の動作を表すフローチャート
【図７】（ａ）本発明の実施の形態３におけるスイッチの切換とリモコンコード信号の計測のタイミング図（ｂ）本発明の実施の形態３に記載の他の動作例におけるスイッチの切換とリモコンコード信号の計測のタイミング図
【図８】本発明の実施の形態４におけるリモコンコード信号選択部の詳細図
【図９】従来の発明におけるワイヤレス映像表示装置の構成図
【符号の説明】
【００８７】
１０１    モニタ部
１０２    ステーション部
１０３    リモコン
１０４    アンテナ部
２０１    リモコン信号受信部
２０２    無線送信部
２０３    無線受信部
２０４    映像伸長部
２０５    映像表示部
２０６    無線受信部
２０７    リモコン信号受信部
２０８    リモコンコード信号選択部
２０９    選局部
２１０    チューナ部
２１１    映像圧縮部
２１２    無線送信部
２０８ａ    リモコンコード信号選択部
３０１ａ    メモリ
３０２ａ    スイッチ制御部
３０３ａ    スイッチ
２０８ｂ    リモコンコード信号選択部
３０１ｂ    メモリ
３０２ｂ    スイッチ制御部
３０３ｂ    スイッチ
４０５    計時部
２０８ｃ    リモコンコード信号選択部
３０２ｃ    スイッチ制御部
５０３ｃ    スイッチ
５０４ｃ    スイッチ
５０６ｃ    積算部
２０８ｄ    リモコンコード信号選択部
３０２ｄ    スイッチ制御部
５０３ｄ    スイッチ
５０４ｄ    スイッチ
５０６ｄ    積算部
８０７    リセット部
９０１    ステーション
９０２    アンテナ部
９０３    外部映像機器
９０４    外部映像機器
９０５    モニタ
９０６    リモートコントローラ
９０７    リモートコントローラ
９０８    リモートコントローラ
【図１】
2006324947.tif 000003
【図２】
2006324947.tif 000004
【図３】
2006324947.tif 000005
【図４】
2006324947.tif 000006
【図５】
2006324947.tif 000007
【図６】
2006324947.tif 000008
【図７】
2006324947.tif 000009
【図８】
2006324947.tif 000010
【図９】
2006324947.tif 000011